(57)【要約】   状態タイプの非線形性及びまとまりのないグループ分けが存在する中でどの信号が複雑なマシンシステムの状態の判断にとって重要かを特定するシステム及び方法。本システムはシステム下位部品又は領域に対応する信号群の下位グループ分けを可能にする。信号の重要性の説明が得られて原因分析を助け、その特定の状態及び因果関係に対して本システムへの動作フィードバックが処方され実行される。
2021516808.tif 000002
【特許請求の範囲】
【請求項１】
複数の時系列信号を生成するセンサーを備えるマシンシステムのための制御方法であって、
ラベル付き点と前記ラベル付き点がそれから得られた一組の信号とを受信するステップであって、前記各信号は少なくとも１つの特徴ベクトルを含み、各特徴ベクトルは１つ以上の信号特徴を含み、信号の前記特徴ベクトルは対応する信号投影下位空間を有する、ステップと、
前記マシンシステムのモデルを前記一組の信号の各信号投影下位空間内に投影するステップであって、前記モデルは複数のモデル状態点を含む、ステップと、
前記ラベル付き点を各信号投影下位空間内に投影するステップと、
前記ラベル付き点の分析近傍を前記信号投影下位空間内の前記ラベル付き点に最も近い設定された数のモデル状態点に制限するステップと、
（ａ）前記ラベル付き点と同じラベルを有する前記分析近傍内の複数の隣接点と（ｂ）前記設定された数との第１比率を計算するステップと、
（ｃ）前記ラベル付き点と同じラベルを有する前記モデル内の複数の点と（ｄ）前記設定された数との第２比率を計算するステップと、
前記ラベル付き点に対応するマシンシステム状態への各信号の寄与を、前記第１比率と前記第２比率との比に基づいて、割り当てて信号及び寄与の順に並べたリストを形成するステップと、
前記マシンシステムの動作を前記リストに基づいて適合させるステップと
を含む制御方法。
【請求項２】
前記ラベル付き点に対応する前記マシンシステム状態への各信号の寄与を割り当てる前記ステップは、
前記第１比率が前記第２比率以下であれば、前記信号の寄与を（第１比率／第２比率）−１に設定し、
そうでなければ、前記信号の寄与を（第１比率−第２比率）／（１−第２比率）に設定することを含む、請求項１記載の制御方法。
【請求項３】
前記ラベル付き点の分析近傍を前記信号投影下位空間内の前記ラベル付き点に最も近い前記設定された数のモデル状態点に制限する前記ステップは、前記モデル状態点を前記ラベル付き点からの距離により並べ、前記分析近傍を最も近い距離を持つ複数のモデル状態点に限定することを含む、請求項１記載の制御方法。
【請求項４】
前記距離は、前記ラベル付き点の投影と前記信号投影下位空間内の信号特徴軸上の前記状態点の投影との距離から成る、請求項３記載の制御方法。
【請求項５】
前記マシンシステムの動作を適合させる前記ステップは、故障している部品を修理することを含む、請求項１記載の制御方法。
【請求項６】
前記モデル状態点の前記設定された数はモデル状態点の総数の平方根から成る、請求項１記載の制御方法。
【請求項７】
マシンシステム監視及び警報装置であって、
複数のセンサーから時系列信号を受信する複数の入力を備えたコンピュータシステムを備え、前記コンピュータシステムはプロセッサと命令群を有して適合されたメモリとを備え、前記命令群は
ラベル付き点と前記ラベル付き点がそれから得られた一組の信号とを受信する論理であって、前記各信号は対応する信号投影下位空間を有する、論理と、
前記マシンシステムのモデルを前記一組の信号の各信号投影下位空間内に投影する論理であって、前記モデルは複数のモデル状態点を含む、論理と、
前記ラベル付き点を各信号投影下位空間内に投影する論理と、
前記ラベル付き点の分析近傍を前記信号投影下位空間内の前記ラベル付き点に最も近い設定された数のモデル状態点に制限する論理と、
前記ラベル付き点と同じラベルを有する前記分析近傍内の複数の隣接点の第１割合を計算する論理と、
前記ラベル付き点と同じラベルを有する前記モデル内の複数の点の第２割合を計算する論理と、
前記ラベル付き点に対応するマシンシステム状態への各信号の寄与を前記第１割合及び前記第２割合から計算して信号及び寄与の順に並べたリストを形成する論理と、
信号の前記順に並べたリスト内のより高い信号を、前記ラベル付き点に対応する前記マシンシステム状態への最も可能性の高い寄与信号として表示する論理と
を形成する、マシンシステム監視及び警報装置。
【請求項８】
前記ラベル付き点に対応する前記マシンシステム状態への各信号の寄与を計算することは、
前記第１割合が前記第２割合以下であれば、前記信号の寄与を（第１割合／第２割合）−１に設定し、
そうでなければ、前記信号の寄与を（第１割合−第２割合）／（１−第２割合）に設定することを含む、請求項７記載の装置。
【請求項９】
前記ラベル付き点の分析近傍を前記信号投影下位空間内の前記ラベル付き点に最も近い前記設定された数のモデル状態点に制限することは、前記モデル状態点を前記ラベル付き点からの距離により並べ、前記分析近傍を最も近い距離を持つ複数のモデル状態点に限定することを含む、請求項７記載の装置。
【請求項１０】
前記距離は、前記ラベル付き点の投影と前記信号投影下位空間内の信号特徴軸上の前記状態点の投影との距離から成る、請求項９記載の装置。
【請求項１１】
前記マシンシステム状態は故障している部品を含む、請求項７記載の装置。
【請求項１２】
前記モデル状態点の前記設定された数はモデル状態点の総数の平方根から成る、請求項７記載の装置。
【請求項１３】
複雑な物理的システムの動作の原因を監視し特定するための持続性マシン読取可能記憶媒体であって、該マシン読取可能記憶媒体は命令群を含み、前記命令群はプロセッサにより実行される時、前記プロセッサを含むマシンに、
ラベル付き点と前記ラベル付き点がそれから得られた一組の信号とを受信するステップと、
前記一組の信号の各信号について信号投影下位空間を生成するステップと、
前記物理的システムのモデルの状態点を前記一組の信号の各信号投影下位空間内に投影するステップと、
前記ラベル付き点を各信号投影下位空間内に投影するステップと、
前記ラベル付き点の分析近傍を前記信号投影下位空間内の前記ラベル付き点に最も近い設定された数のモデル状態点に制限するステップと、
（ａ）前記ラベル付き点と同じラベルを有する前記分析近傍内の複数の隣接点と（ｂ）前記設定された数との第１比率を計算するステップと、
（ｃ）前記ラベル付き点と同じラベルを有する前記モデル内の複数の点と（ｄ）前記設定された数との第２比率を計算するステップと、
前記ラベル付き点に対応するマシンシステム状態への各信号の寄与を、前記第１比率と前記第２比率との比に基づいて、割り当てて信号及び寄与の順に並べたリストを形成するステップと、
前記物理的システムの動作を前記リストに基づいて適合させるステップと
を実行させる、マシン読取可能記憶媒体。
【請求項１４】
前記ラベル付き点に対応する前記マシンシステム状態への各信号の寄与を割り当てる前記ステップは、
前記第１比率が前記第２比率以下であれば、前記信号の寄与を（第１比率／第２比率）−１に設定し、
そうでなければ、前記信号の寄与を（第１比率−第２比率）／（１−第２比率）に設定することを含む、請求項１３記載のマシン読取可能記憶媒体。
【請求項１５】
前記ラベル付き点の分析近傍を前記信号投影下位空間内の前記ラベル付き点に最も近い前記設定された数のモデル状態点に制限する前記ステップは、前記モデル状態点を前記ラベル付き点からの距離により並べ、前記分析近傍を最も近い距離を持つ複数の状態点に限定することを含む、請求項１３記載のマシン読取可能記憶媒体。
【請求項１６】
前記距離は、前記ラベル付き点の投影と前記信号投影下位空間内の信号特徴軸上の前記状態点の投影との距離から成る、請求項１５記載のマシン読取可能記憶媒体。
【請求項１７】
前記物理的システムの動作を適合させる前記ステップは、故障している部品を修理することを含む、請求項１３記載のマシン読取可能記憶媒体。
【請求項１８】
前記モデル状態点の前記設定された数はモデル状態点の総数の平方根から成る、請求項１３記載のマシン読取可能記憶媒体。
【発明の詳細な説明】
【技術分野】
【０００１】
本開示は複雑なシステムにおける状態予測の説明のためのシステム及び方法に関する。
【背景技術】
【０００２】
発電所、廃水処理工場、工場、飛行機、及び自動車は、目的を達成するために動作する複数の機械を含む複雑なシステムの例である。これらの複雑なシステムは時間とともに劣化する物理的な部品、故障する部品、及び不適正又は準最適に使用されている部品を含む。システム内の特定の部品の劣化、故障、又は不適正又は準最適な使用は、その特定の部品に依存するシステムの他の部品に影響する場合がある。
【０００３】
部品がシステム内で動作する時、その部品は異なる複数の動作状態の間、異なる動作をするように構成されることがある。例えば、１つの機械は始動し、暖機運転し、動作し、クールダウンし、停止してよい。機械は始動状態時、ほとんど又は全く出力を生成しないように構成されることがある一方、機械は動作状態時、最大出力を生成するように構成されることがある。部品がいかに構成されるかに拘らず、部品はどんな稼動状態でも予期しない動きをすることがある。複雑なシステムでは、たとえシステムは全体としてその期間比較的効率的に動作しても、複数の部品が長い期間、予期しない動きをすることがある。
【０００４】
システム内の様々な部品の動作は、部品の動作挙動のデータを測定し報告するセンサーを使用して監視されてもよい。センサー自体も劣化、故障、及び準最適な使用により影響され易く、この影響され易さは測定自体に関する不確実さとシステム内の部品の動きに関する不確実さを生じさせる。センサーは、測定値がある範囲を外れると警報を提供する特化されたトリガーを出力してもよい。特化されたトリガーは機械の動作及び保守を監督しシステムの全体的な健全さ及び効率を促進するように任命された保守技術者などの技術者により設定されてもよい。
【０００５】
従って、システムの全体的な健全さ及び効率は、人である保守技術者の知識、技量、専門知識、及び正確さに高度に依存することがある。システムの全体的な健全さ及び効率はまた、センサー及びシステム内の部品の動きに関する不確実さの変動する度合に依存することがある。システムの複雑さを考えると、保守技術者に求められる正確な判断ができる人はしばしばごく少数であり、保守技術者によりなされた判断の正しさを検証するのに利用できる人は更に少ない。特定のシステムの出力は高いレベルで観察されてよいが、保守技術者がどれだけより良く実行できるかの知識は通常ほとんど又は全くない。
【０００６】
また、幾つかの機械は、機械にある保守作業を実行する頻度を保守技術者に説明するマニュアル又は仕様書が付いている。多種多様なシステムと機械が使用されてよい変化する動作環境とのために、そのようなマニュアル又は仕様書は、特定の環境でそのような保守を実行するべき頻度をしばしば著しく過大に又は過小に見積もる。このような問題はしばしば検出が困難で、システムのサイズ及び複雑さが増加すると指数関数的に増加する非効率さをしばしば引き起こす。
【０００７】
複雑なシステムの状態を時間に亘って分類できることは、非常に強力なツールであり、動作応答に影響することがある。特定の時間におけるシステムの状態が分かると、その状態に最も責任があるか又は関わっていそうなシステムの下位部品を見つけること、この状態を区別する一組の信号を見つけること、及びシステムがこの状態にある原因を見つけることなどの更なる情報があれば、システムの動作へのより効果的で効率的な介入につながる場合がある。
【０００８】
しかし、多変量時系列ベース解析法を使用するのに困難がある。第１に、分類モデルは非線形である。従って、どの信号値がその結果を引き起こしたか直接にモデルから推定する簡単なやり方は存在しない。第２に、同じ部類（又は状態結果）が、信号記録の多くの異なる組合せを伴って発生する場合がある。例えば、「警告」状態の異なる複数の発生事例は、個々の信号パターンの多くの組合せと関連することがある。このため、集計分析を利用し「どの信号が最も多くの場合に状態Ｘと関連するか」を決めることがある従来の方法は、深刻に判断を誤らせる場合がある。第３に、信号（例えば、ロボットの継手又は設備の一部などの特定の下位部品に対応する信号）のグループ分けが重要であるが、指標を得るためにシステムの理解を必要とするかも知れない。最後に、分類分析は因果関係を意味しない相関関係を明らかにする。状態判断により著しく寄与する信号の特定は、原因分析を助けることがあるが、システム内の物理的機構のある程度の理解が因果関係推断に到達するのを可能にする場合がある。
【発明の概要】
【０００９】
時間ｔにおける状態の「説明」は、その状態結果と強く関連する信号の特定である。通常、２つ以上の信号が状態値と強く関連することがある。モデル化時に使用される特徴からの関心のある信号の対応付けが行われる。良好な予測結果を生成するモデルは正確でない説明結果を生成することがあり、高品質の説明結果を得るために、作成されたモデルは説明のために独立に作られる。本システム及び方法は、信号記録及び任意の提供されたラベルに基づいて予測と説明それぞれの独立したモデルを作成する。本システム及び方法は、半管理されたシナリオ及び管理されてないシナリオで動作し、提供された信号（作られた複雑な特徴ではなく）を直接使った説明結果を提供し、それらの結果は使用される信号の選択又は選択された信号の過剰さに極度には敏感ではない（線形回帰のような手法のためでありうるので）。
【図面の簡単な説明】
【００１０】
どんな特定の要素又は動作の説明も容易に特定するために、参照番号の最上位桁又は数桁はその要素が最初に図示された図番号を指す。
【図１】信号分類及び説明システム１００の実施形態を例示する。
【図２】実施形態に係るフィードバック制御システム２００を例示する。
【図３】実施形態に係るシステム診断プロセス３００を例示する。
【図４】実施形態に係るラベル付き点を説明すること３０４を例示する。
【図５】点を信号下位空間内に投影すること４０６、その点の周りの隣接クラスタを形成すること４０８、及び点ラベルをクラスタ内の隣接点のラベルと関連付けること４１０の実施形態を例示する。
【図６】実施形態に係るラベル付き点説明６００を例示する。
【図７】実施形態に係る説明プロセス７００を例示する。
【図８】本発明の実施形態を取り込んでもよい計算装置８００の一例のブロック図である。
【発明を実施するための形態】
【００１１】
状態タイプの非線形性及びまとまりのないグループ分けが存在してもどの信号が各個別の判断結果にとって重要かを特定するシステム及び方法が開示される。本システムはシステム下位部品又は領域に対応する信号群の下位グループ分けを可能にする。次にシステム内の物理的機構のこの理解により因果関係推断に到達することがあり、その特定の状態及び因果関係に対するシステムへの動作フィードバックが処方され実行されてよい。例えば、因果関係推断は、システムの全体的な健全さ及び効率を促進するために、故障部品を修理するか又は特定された状態に他のやり方で対応するようにシステムの動作及び保守を監督する保守技術者に指図する動作フィードバックを提供できる。
【００１２】
図１を参照すると、信号分類及び説明システム１００は外部システム１０２及び信号データ処理システム１１０を備える。外部システム１０２は複雑なシステム１０４、信号データリポジトリ１０６、及び監視ディスプレイ１０８を更に備える。信号データ処理システム１１０は更に特徴特定論理１１２、クラスタ化論理１１４、ベクトル分類論理１１６、信号受信論理１１８、信号データモデル保守論理１２０、状態報告論理１２２、及び本開示の焦点である原因分析論理１２６を備える。
【００１３】
複雑なシステム１０４は複雑な産業機械、例えば複雑な工場設備、商用車両、飛行機、又は複数のセンサーを利用して自身の状態を監視する任意の他の複雑な機械類を表してもよい。複雑なシステム１０４はまた、無線可能装着型装置などの活動追跡器として機能するように指定された複数種類のセンサーを含む複合センサーパッケージを表してもよい。
【００１４】
複雑なシステム１０４は、複雑なシステム１０４に取り付けられた複数のセンサーから信号データのデータストリームを送る目的のために信号データリポジトリ１０６に通信可能に結合されてもよい。信号データのデータストリームは複数のセンサーにより集められた複数のデータ観察記録を表してもよい。複雑なシステム１０４上の複数のセンサーの目的は複雑なシステム１０４内の様々な箇所で発生する観察結果を記録することである。例えば、複雑なシステム１０４が風からエネルギーを生成する複数の風車から成る発電所にある場合、複数のセンサーは各個別の風車の回転速度を測定するセンサー、各風車により生成された電気量を測定するセンサー、及び発電所内の発電機により生成された電気の現在貯蔵レベルを測定するセンサーを含んでもよい。別の例では、複雑なシステム１０４は無線活動追跡器を表してもよい。この場合、複数のセンサーは装着者に発生している変化と動きに基づく位置の変化とを検出するように構成されてもよい。例えば、一組のセンサーはこれらに限定されないが全地球測位センサー（ＧＰＳ）、３軸加速度計、３軸ジャイロスコープ、デジタル羅針盤、光学心拍数モニター、及び高度計を含んでもよい。更に別の例では、複雑なシステム１０４は商用アプリケーションなどの特定のアプリケーションを表してもよい。特定のアプリケーションは特定のコンピュータアプリケーションのためのログ出力などの出力を生成する１つ以上のコンピュータクラスを含んでもよい。ログ出力生成クラスを特定のコンピュータアプリケーション内で呼び出される複数のクラス及びオブジェクトの現在状態を報告する組み込み計器と考えてもよい。
【００１５】
信号データリポジトリ１０６は、複雑なシステム１０４内の複数のセンサーにより生成された信号データを収集し、信号データ種類に基づいて信号データを記憶し、１つ以上の記憶されたプログラムを使用して収集された信号データの時系列を生成するように構成（即ち、プログラム）されたサーバーコンピュータであって、それらのプログラムを実行するサーバーコンピュータを表してもよい。信号データリポジトリ１０６はまた、信号データ値を監視の目的でユーザーに提示する目的のためにリアルタイムデータか又は記憶された信号データを監視ディスプレイ１０８に送ることができてもよい。信号データリポジトリ１０６はまた、信号データを集めて複数の期間に亘る信号値の変化を示す集計された統計を生成してもよい。信号データリポジトリ１０６特徴の実施形態は上述した特徴に限定されない。信号データリポジトリ１０６は任意の市販の監視プログラムを使用して実現されてもよく、市販の製品内の任意の監視するための特徴を利用してもよい。
【００１６】
監視ディスプレイ１０８は信号データリポジトリ１０６から受信した信号データを表示するようにプログラムされたコンピュータ実行マシンを表す。監視ディスプレイ１０８は信号データ処理システム１１０からのデータ入力を直接受信できてもよい。
【００１７】
信号データ処理システム１１０は信号データリポジトリ１０６から信号データのデータストリームを受信し受信した信号データに関する物理的状態を特定するように構成される。信号データ処理システム１１０は、データを信号データリポジトリ１０６に送り返すことで又はユーザーが入着する信号データに関する状態をより良く特定できるようにデータを監視ディスプレイ１０８に直接送ることで、特定された物理的状態を外部システム１０２に送るように更に構成される。
【００１８】
信号データ処理システム１１０は、これらに限定されないが特徴特定論理１１２、クラスタ化論理１１４、ベクトル分類論理１１６、信号受信論理１１８、信号データモデル保守論理１２０、状態報告論理１２２、及び原因分析論理１２６を含む特別に構成された論理を備える。これらの要素のそれぞれは信号データ処理システム１１０内のＲＡＭなどの主メモリの一組の１つ以上のページにロードされた実行可能な命令群から成る。この命令群は実行されると信号データ処理システム１１０に本書にそれらのモジュールに関して説明される機能又は動作を実行させる。例えば、特徴特定論理１１２は、命令群を含むＲＡＭ内の一組のページにロードされた実行可能な命令群であって、実行されると特徴特定を実行させる命令群から成ってもよい。特徴特定論理１１２は、複数の組の信号データを集めて１つ以上の特徴ベクトルにする命令群を提供してもよい。これらの特徴ベクトルは特定の時間範囲の間の１つ以上のセンサーからの複数組の信号データを表す。特徴特定論理１１２は複数の信号データ組からパターンを特定する命令群を提供する。パターンは異なる複数の信号に亘りかつ特定の期間に亘る変化に基づく。特徴特定論理１１２はまた、意味のあるパターンを特定するために複数組の信号データを評価するための最適時間窓サイズを決める命令群を提供してもよい。特徴特定論理１１２はその期間窓内の一組の信号データ点を低減して減少した次元数の特徴ベクトルを生成する命令群を提供してもよい。別の実施形態では、特徴特定論理１１２は信号データ組を集めて再帰型神経回路網を使用して特徴ベクトルを生成する命令群を提供する。特徴特定論理１１２はまた、複数の信号データ組とそれらの対応する特徴ベクトルとの対応付けを生成する命令群を提供してもよい。
【００１９】
信号受信論理１１８は、複雑なシステム１０４に取り付けられた複数のセンサーからの観察されたデータ値を表す複数組の信号データを受信する命令群を提供する。特徴特定論理１１２は複数組の信号データを集め１つ以上の特徴ベクトルにする命令群を提供する。これらの特徴ベクトルは特定の時間範囲の間の１つ以上のセンサーからの複数組の信号データを表す。クラスタ化論理１１４は特徴ベクトルの１つ以上のクラスタを生成する命令群を提供し、各クラスタは特徴ベクトル群から同様に識別される属性によって決められる。ベクトル分類論理１１６は１つ以上の分類ラベルを表すフィードバック入力を受信する命令群を提供し、分類ラベルは以前観察されたセンサーデータに基づいて特徴ベクトルに割り当てられてもよい。フィードバックはサンプル事象と表現される。サンプル事象はサンプル特徴ベクトルの形態の信号データとサンプル特徴ベクトルの割り当てられた分類ラベルとを含む。分類ラベルは複雑なシステム１０４に発生した特に特定された状態を表してもよい。ベクトル分類論理１１６は特徴ベクトルの生成されたクラスタの分類ラベルを決める追加の命令群を提供する。特徴ベクトルの生成されたクラスタの分類ラベルを決めた後、ベクトル分類論理１１６は、特定された信号状態を規定する信号データモデルを関連するクラスタ、特徴ベクトル、及び分類ラベルに基づいて生成し記憶媒体に記憶する命令群を提供する。ベクトル分類論理１１６は、特定された信号状態を使用する以前生成された信号データモデルを関連するクラスタ、特徴ベクトル、及び分類ラベルに基づいて更新する追加の命令群を提供する。信号データモデル保守論理１２０は１つ以上の信号データモデルをデジタル記憶媒体内に保持する命令群を提供する。状態報告論理１２２は１つ以上の特徴ベクトルに関連付けられた特定された分類ラベルを外部システム１０２に送る命令群を提供する。
【００２０】
図２を参照すると、フィードバック制御システム２００は時系列信号１２４を生成する複雑なシステム１０４を含む。フィードバック制御システム２００は時系列信号１２４から信号特徴を抽出し２０４、クラスタ化及び分類２０８を受けてクラスタ及びラベル２１０を生成する特徴ベクトル２０６を形成する論理を含み、クラスタ及びラベル２１０は、複雑なシステム１０４の動作を適合させるために状態を特定し説明する２０２に使用される。
【００２１】
本開示の残りは原因分析論理１２６の様々な実施形態を説明する。
【００２２】
図３を参照すると、システム診断プロセス３００はラベル付き点を生成すること３０２、ラベル付き点を説明すること３０４、及び説明を返すこと３０６を含む。システム診断プロセス３００は高レベル構造の原因分析論理１２６を提供する。
【００２３】
図４を参照すると、ラベル付き点を説明すること３０４は、１つの実施形態では、点を選択すること４０２、第１信号を得ること４０４、その点を信号下位空間内に投影すること４０６、点の周りの隣接クラスタを形成すること４０８、及び点ラベルをクラスタ内の隣接点のラベルと関連付けること４１０を含む。これがシステムからの全ての時系列信号に対して繰り返される。ラベル付き点を説明すること３０４は、それらの信号を点ラベルとの相関強度により順に並べることで終了する４１２。
【００２４】
図５はラベル付き点を信号下位空間に投影すること４０６、点の周りの隣接クラスタを形成すること４０８、及び点ラベルをクラスタ内の隣接点のラベルと関連付けること４１０の例を示す。
【００２５】
第１特徴軸投影５０６は第１信号特徴軸Ｆ１上に生成され、第２特徴軸投影５０８は第２信号特徴軸Ｆ２上に生成される。また、説明点５１０（Ｆ１軸）の第１特徴投影がＦ１上の第１特徴近傍５１４の投影の真ん中に生成され、説明点５１２の第２特徴投影がＦ２上の第２特徴近傍５１６の投影の中に生成される。
【００２６】
システムモデルデータ５０２は一組の値Ｃ（ｔ）、Ｆｉ（ｔ）であり、Ｃ（ｔ）はラベルで、Ｆｉ（ｔ）は評価される特徴ベクトル成分である。ここで、Ｃ（ｔ）は丸又は四角として描かれている。これらの記号は、幾つかの実施形態では、関連するラベル、例えば「使用可能な」、「動作しない」、「警告」、「正常な」などに対応するシステム又は装置の状況又は状態を表す。２つの特徴Ｆ１及びＦ２が描かれているので、Ｆｉ（ｔ）の値は２次元空間内の位置として描かれる。幾つかの実施形態では、２を超える数の特徴が評価されてもよい。この実施形態では、システムモデルデータ５０２は６４個の値を有する。
【００２７】
説明点５０４は値Ｃ（ｔ’）、Ｆｉ（ｔ’）を有する。説明点５０４のラベルＣ（ｔ’）は丸で表され、システムモデルデータ５０２と同様に、それ自身の関連するラベルでシステムの状況又は状態を表す。説明点５０４はまた、２次元空間内でＦｉ（ｔ’）により位置が決められている。説明点５０４は分類モデルを利用して決められていてもよい。
【００２８】
第１特徴軸投影５０６はシステムモデルデータ５０２及び説明点５０４の第１特徴軸Ｆ１上の投影である。Ｆ１上の記号群は、記号特徴軸Ｆ１上へのシステムモデルデータ５０２の６４個の投影Ｆ１（ｔ）と説明点５０４の投影Ｆ１（ｔ’）とを表す。描かれているように、Ｆ１投影の幾つかは重なる。これらの重なる場合、簡単化のために１つの記号だけが描かれる。
【００２９】
第２特徴軸投影５０８はシステムモデルデータ５０２及び説明点５０４の第２記号特徴軸Ｆ２上への投影である。Ｆ２上の記号群は、Ｆ２上へのシステムモデルデータ５０２の６４個の投影値Ｆ２（ｔ）と説明点５０４の投影されたＦ２（ｔ’）の値とを表す。再び、Ｆ２上の記号の幾つかは重なる、この場合、１つだけの記号として描かれる。
【００３０】
第１特徴近傍５１４は、説明点５０４の周りの制限された近傍から投影された第１特徴軸投影５０６の部分集合である。第１特徴近傍５１４は、説明点５１０の第１特徴投影及びシステムモデルデータ５０２内の値の数に基づいて第１特徴軸投影５０６から選択されてもよい。１つの実施形態では、値の数Ｎはシステムモデルデータ５０２内の値の総数の平方根である。ここで、Ｎは８に等しい。次に第１特徴近傍５１４は第１特徴軸投影５０６のうち説明点５１０の第１特徴投影に最も近いＮ（ここでは、８）個の点であってもよい。第１特徴軸投影５０６から第１特徴近傍５１４を決定するために距離関数を利用してもよい。そのルーチンは同じ値を持つ第１特徴軸投影５０６内の点を求めてランダム選択を利用してもよい。
【００３１】
第２特徴近傍５１６は、説明点５０４の周りの制限された近傍から今度は軸Ｆ２上に投影された第２特徴軸投影５０８の部分集合である。
【００３２】
第１特徴近傍５１４及び第２特徴近傍５１６が決定されると、距離はＦ１とＦ２の両方について決定されてよい。距離は先ず説明点５０４のＣ（ｔ’）に等しい第１特徴近傍５１４及び第２特徴近傍５１６内のＣ（ｔ）の割合を算出することで決定されてよい。この例では、第１特徴近傍５１４についての割合は１００％で、第２特徴近傍５１６についての割合は５０％である。次に、Ｃ（ｔ）＝Ｃ（ｔ’）の全体の割合が算出される（ここでは５０％）。最後に、各近傍と全体の割合の比が算出される（Ｆ１についてＸ＝２、Ｆ２についてＸ＝１）。
【００３３】
図６を参照すると、ラベル付き点説明６００プロセスは、ラベル付き点とラベル付き点がそれから得られた特徴化された信号とを受信すること６０２と、モデル訓練データを各特徴化された信号下位空間内に投影すること６０４と、ラベル付き点を各特徴化された信号下位空間内に投影すること６０６とを含む。
【００３４】
ラベル付き点説明６００は分析近傍を制限すること６０８、及び選択された信号の各特徴下位空間内のラベル付き点の隣接点を見つけること６１０により続く。
【００３５】
その点の隣接点のラベルを決めること６１２及びその点と同じラベルを持つ隣接点の割合を決めること６１４で、既知の状態へのその点の寄与を見つけ出す。寄与は、モデル全体におけるそのラベルの密度に対する近傍内のそのラベルの相対的な密度を決めること６１６、ラベル付き点により表される状態へのその信号の寄与を決めること６１８、及び寄与によりそれらの信号を並べ替えること６２２で更に洗練されてもよい。その並べ替えでより高い信号がラベル付き点と関連する状態へのより可能性の高い寄与信号として表示されてもよい。１つの実施形態では、その並べ替えた信号の最も高い１０％が表示されるが、他の実施形態では、他の範囲が表示されうる。
【００３６】
より具体的には、信号寄与を見つけるための第１比率又は割合は（１）評価中の点の周りのモデルデータ点からなる制限された近傍内のその点と同じラベルを有する点の数である分子、及び（２）その制限された近傍内のモデルデータ点の総数である分母として形成されてもよい。信号寄与を見つけるための第２比率又は割合は（１）モデルデータ内のその点と同じラベルを有する点の数である分子、及び（２）その制限された近傍内のモデルデータ点の総数である分母として形成されてもよい。
【００３７】
ラベル付き点に関連する状態への信号寄与は次に第１比率及び第２比率又は第１割合及び第２割合の比又は割合から計算されてもよい。
【００３８】
このプロセスは、別の信号があるか調べ６２０、あれば、分析するため次の信号を選択すること６２６でモデル内の全ての信号に対して続く。
【００３９】
次に信号寄与の順に並べたリストは、信号時系列がそれから得られた複雑なシステムを適合させるために、リストを表示し適用すること６２４で適用される。
【００４０】
図７を参照すると、説明プロセス７００はラベル付き点で始まる７０２。説明プロセス７００は第１信号に対して分析するために信号投影空間を生成すること７０４及びその信号の特徴ベクトルを取り出すこと７０６で続く。これらのステップは各信号及び選択された信号に関連する各特徴ベクトルに対して繰り返される。
【００４１】
説明プロセス７００は特徴ベクトルの距離及び重要さをラベル付き点の隣接点に割り当てること７０８で続く。これはその信号に関連する各特徴ベクトルに対して繰り返される。
【００４２】
説明プロセス７００はラベル付き点の隣接点を特徴距離により並べること７１０、その点の周りの近傍の大きさを制限すること７１２、及びその点のラベルへの信号の寄与を計算すること７１４で続く。
【００４３】
説明プロセス７００をコンピュータシステム上で実行する論理例は下記のとおり。
2021516808.tif 000003
【００４４】
図８は本発明の実施形態を取り込んでもよい計算装置８００の一例のブロック図である。図８は本明細書に記載された手法プロセスの態様を実行するマシンシステムを単に例示し、請求項の範囲を限定しない。当業者は他の変形、部分変更、及び代替を認識するであろう。１つの実施形態では、計算装置８００はモニター又はグラフィカル・ユーザーインターフェース８０２、データ処理システム８２０、通信ネットワークインターフェース８１２、入力装置８０８、出力装置８０６などを通常含む。
【００４５】
図８に描かれているように、データ処理システム８２０は、バスサブシステム８１８を介して複数の周辺装置と通信する１つ以上のプロセッサ８０４を含んでもよい。これらの周辺装置は入力装置８０８、出力装置８０６、通信ネットワークインターフェース８１２、及び記憶サブシステム、例えば揮発性メモリ８１０及び不揮発性メモリ８１４を含んでもよい。
【００４６】
揮発性メモリ８１０及び／又は不揮発性メモリ８１４はコンピュータ実行可能命令群を記憶し、従って、プロセッサ８０４に適用され実行されると本書に開示されたシステム状態説明及び制御プロセスの実施形態を実現する論理８２２を形成してよい。
【００４７】
入力装置８０８は情報をデータ処理システム８２０に入力するための装置及び機構を含む。これらはモニター又はグラフィカル・ユーザーインターフェース８０２に取り込まれたキーボード、キーパッド、及びタッチスクリーン、音声認識システム、マイクロフォンなどの音声入力装置、及び他の種類の入力装置を含んでよい。様々な実施形態では、入力装置８０８はコンピュータマウス、トラックボール、トラックパッド、ジョイスティック、無線リモート、製図タブレット、音声コマンドシステム、視標追跡システムなどとして具現化されてもよい。入力装置８０８はモニター又はグラフィカル・ユーザーインターフェース８０２上に現れる対象物、アイコン、制御領域、テキストなどをユーザーがボタンのクリックなどのコマンドにより選択するのを通常許す。
【００４８】
出力装置８０６はデータ処理システム８２０からの情報を出力するための装置及び機構を含む。これらはモニター又はグラフィカル・ユーザーインターフェース８０２、当技術で周知のスピーカー、プリンター、赤外線ＬＥＤなどを含んでもよい。
【００４９】
通信ネットワークインターフェース８１２は通信ネットワーク（例えば、通信ネットワーク８１６）及びデータ処理システム８２０の外部の装置へのインターフェースを提供する。通信ネットワークインターフェース８１２は他のシステムとの間でデータを送受信するためのインターフェースとして働いてもよい。通信ネットワークインターフェース８１２の実施形態はＥｔｈｅｒｎｅｔ（登録商標）インターフェース、モデム（電話、衛星、ケーブル、ＩＳＤＮ）、（非同期）デジタル加入者回線（ＤＳＬ）、ＦｉｒｅＷｉｒｅ（登録商標）、ＵＳＢ、無線通信インターフェース、例えばＢｌｕｅＴｏｏｔｈ（登録商標）又はＷｉＦｉ（登録商標）、近距離通信無線インターフェース、セルラーインターフェースなどを含んでもよい。
【００５０】
通信ネットワークインターフェース８１２はアンテナ、又はケーブルなどを介して通信ネットワーク８１６に結合されてもよい。幾つかの実施形態では、通信ネットワークインターフェース８１２はデータ処理システム８２０の回路基板上に物理的に一体化されるか又は、幾つかの場合、「ソフトモデム」などのソフトウェア又はファームウェアで実現されてもよい。
【００５１】
計算装置８００はＨＴＴＰ、ＴＣＰ／ＩＰ、ＲＴＰ／ＲＴＳＰ、ＩＰＸ、ＵＤＰなどのプロトコルを使用してネットワークを通じた通信を可能にする論理を含んでもよい。
【００５２】
揮発性メモリ８１０及び不揮発性メモリ８１４は、本書で説明したプロセスの様々な実施形態を実行するためにコンピュータ読取可能データ及び命令群を記憶するように構成された有形の媒体の例である。他の種類の有形媒体は取り外し可能メモリ（例えば、着脱可能ＵＳＢメモリ装置、携帯装置ＳＩＭカード）、ＣＤ‐ＲＯＭ、ＤＶＤなどの光学記憶媒体、フラッシュメモリなどの半導体メモリ、持続性読み出し専用メモリ（ＲＯＭ）、バッテリーバックアップされた揮発性メモリ、ネットワーク記憶装置などを含む。揮発性メモリ８１０及び不揮発性メモリ８１４は、開示されたプロセス及び本発明の範囲内に入るそれらの他の実施形態の機能を提供する基本プログラミング及びデータ構造を記憶するように構成されてもよい。
【００５３】
本発明の実施形態を実現する論理８２２は揮発性メモリ８１０及び／又は不揮発性メモリ８１４に記憶されてよい。前記論理８２２は揮発性メモリ８１０及び／又は不揮発性メモリ８１４から読み出されプロセッサ８０４により実行されてよい。揮発性メモリ８１０及び不揮発性メモリ８１４はまた、論理８２２により使用されるデータを記憶するためのリポジトリを提供してもよい。
【００５４】
揮発性メモリ８１０及び不揮発性メモリ８１４は、プログラム実行の間、命令群及びデータを記憶するための主ランダムアクセスメモリ（ＲＡＭ）及び読み出し専用持続性命令群が記憶される読み出し専用メモリ（ＲＯＭ）を含む複数のメモリを含んでもよい。揮発性メモリ８１０及び不揮発性メモリ８１４は、プログラム及びデータファイルの持続性（不揮発性）記憶を提供するファイル記憶サブシステムを含んでもよい。揮発性メモリ８１０及び不揮発性メモリ８１４は、取り外し可能フラッシュメモリなどの取り外し可能記憶システムを含んでもよい。
【００５５】
バスサブシステム８１８はデータ処理システム８２０の様々な部品及びサブシステムが適宜互いに通信するのを可能にするための機構を提供する。通信ネットワークインターフェース８１２は概略的に単一バスとして描かれているが、バスサブシステム８１８の幾つかの実施形態は複数の異なるバスを利用してもよい。
【００５６】
計算装置８００はスマートフォン、卓上コンピュータ、ラップトップコンピュータ、ラック搭載コンピュータシステム、コンピュータサーバー、又はタブレットコンピュータ装置などの装置であってよいことは当業者には容易に明白であろう。当技術で一般に知られているように、計算装置８００は複数のネットワーク計算装置の集合として実現されてもよい。また、計算装置８００はそのタイプ及び性質は当技術で周知のオペレーティングシステム論理（不図示）を通常含むであろう。
【００５７】
用語及び解釈
本明細書で使用する用語は関連する技術でのそれらの通常の意味又は文脈でのそれらの使用により示される意味を与えられるべきであるが、明確な定義が提供されれば、その意味が適用される。
【００５８】
この文脈では「回路」は、少なくとも１つの個別電気回路を有する電気回路、少なくとも１つの集積回路を有する電気回路、少なくとも１つの特定用途集積回路を有する電気回路、コンピュータプログラムにより構成される汎用計算装置（例えば、少なくとも部分的に本書に記載のプロセス又は装置を実行するコンピュータプログラムにより構成される汎用コンピュータ、又は少なくとも部分的に本書に記載のプロセス又は装置を実行するコンピュータプログラムにより構成されるマイクロプロセッサ）を形成する回路、メモリ装置（例えば、複数の形態のランダムアクセスメモリ）を形成する回路、又は通信装置（例えば、モデム、通信スイッチ、又は光学電気機器）を形成する回路を指す。
【００５９】
この文脈では「ファームウェア」は、読み出し専用メモリ又は媒体に記憶されたプロセッサ実行可能命令群として具現化されたソフトウェア論理を指す。
【００６０】
この文脈では「ハードウェア」は、アナログ又はデジタル回路として具現化された論理を指す。
【００６１】
この文脈では「論理」は、マシンメモリ回路、持続性マシン読み出し可能媒体、及び／又はその材料及び／又は材料エネルギー構成により制御及び／又は手順信号、及び／又は設定及び値（例えば、抵抗、インピーダンス、容量、インダクタンス、定格電流／電圧など）を含み装置の動作に影響するように適用されてよい回路を指す。磁気媒体、電子回路、電気及び光学メモリ（揮発性と不揮発性両方）、及びプロセッサ実行可能命令群で構成されたファームウェアは論理の例である。論理は具体的には純粋な信号又はソフトウェア自体を除外する（しかし、ソフトウェアを含みそれにより物体構成を形成するマシンメモリを除外しない）。
【００６２】
この文脈では「ソフトウェア」は、マシンメモリ（例えば、リード／ライト揮発性又は不揮発性メモリ又は媒体）内のプロセッサ実行可能命令群として実現された論理を指す。
【００６３】
本明細書では、「１つの実施形態」への言及は必ずしも同じ実施形態を指さないが、指す場合もある。文脈がそうでないと明らかに指示しない限り、説明及び請求項全体を通して、英単語「comprise」、「comprising」などは、排他的又は網羅的な意味ではなく、包含的な意味に、即ち、「これらに限定されないが〜を含む」の意味で解釈されるべきである。単数又は複数を使用する英単語はまた、明らかに単一の物又は複数の物に限定されない限り、それぞれ単数又は複数を含む。また、「本書に」、「上記の」、「下記の」、及び同様の意味の言葉は、本開示で使用される時、本開示全体を指し、本開示のどんな特定部分も指さない。請求項が２つ以上の項目のリストを参照するのに英単語「or」を使用する時、その英単語はその英単語の次の解釈、そのリスト内の項目のいずれか、そのリスト内の項目の全て、そのリスト内の項目の任意の組合せ、の全てを包含する（明らかにどれか１つに限定されない限り）。本書に明らかに定義されていないどんな用語も当業者により通常理解されるそれらの従来の意味を有する。
【符号の説明】
【００６４】
１００    信号分類及び説明システム
１０２    外部システム
１０４    複雑なシステム
１０６    信号データリポジトリ
１０８    監視ディスプレイ
１１０    信号データ処理システム
１１２    特徴特定論理
１１４    クラスタ化論理
１１６    ベクトル分類論理
１１８    信号受信論理
１２０    信号データモデル保守論理
１２２    状態報告論理
１２４    時系列信号
１２６    原因分析論理
５０２    システムモデルデータ
５０４、５１０、５１２    説明点
５０６    第１特徴軸投影
５０８    第２特徴軸投影
５１４    第１特徴近傍
５１６    第２特徴近傍
【図１】
2021516808.tif 000004
【図２】
2021516808.tif 000005
【図３】
2021516808.tif 000006
【図４】
2021516808.tif 000007
【図５】
2021516808.tif 000008
【図６】
2021516808.tif 000009
【図７】
2021516808.tif 000010
【図８】
2021516808.tif 000011
【手続補正書】
【提出日】令和3年4月2日(2021.4.2)
【手続補正１】
【補正対象書類名】明細書
【補正対象項目名】００６３
【補正方法】変更
【補正の内容】
【００６３】
本明細書では、「１つの実施形態」への言及は必ずしも同じ実施形態を指さないが、指す場合もある。文脈がそうでないと明らかに指示しない限り、説明及び請求項全体を通して、英単語「comprise」、「comprising」などは、排他的又は網羅的な意味ではなく、包含的な意味に、即ち、「これらに限定されないが〜を含む」の意味で解釈されるべきである。単数又は複数を使用する英単語はまた、明らかに単一の物又は複数の物に限定されない限り、それぞれ単数又は複数を含む。また、「本書に」、「上記の」、「下記の」、及び同様の意味の言葉は、本開示で使用される時、本開示全体を指し、本開示のどんな特定部分も指さない。請求項が２つ以上の項目のリストを参照するのに英単語「or」を使用する時、その英単語はその英単語の次の解釈、そのリスト内の項目のいずれか、そのリスト内の項目の全て、そのリスト内の項目の任意の組合せ、の全てを包含する（明らかにどれか１つに限定されない限り）。本書に明らかに定義されていないどんな用語も当業者により通常理解されるそれらの従来の意味を有する。
以下、本発明の好ましい実施形態を項分け記載する。
実施形態１
複数の時系列信号を生成するセンサーを備えるマシンシステムのための制御方法であって、
ラベル付き点と前記ラベル付き点がそれから得られた一組の信号とを受信するステップであって、前記各信号は少なくとも１つの特徴ベクトルを含み、各特徴ベクトルは１つ以上の信号特徴を含み、信号の前記特徴ベクトルは対応する信号投影下位空間を有する、ステップと、
前記マシンシステムのモデルを前記一組の信号の各信号投影下位空間内に投影するステップであって、前記モデルは複数のモデル状態点を含む、ステップと、
前記ラベル付き点を各信号投影下位空間内に投影するステップと、
前記ラベル付き点の分析近傍を前記信号投影下位空間内の前記ラベル付き点に最も近い設定された数のモデル状態点に制限するステップと、
（ａ）前記ラベル付き点と同じラベルを有する前記分析近傍内の複数の隣接点と（ｂ）前記設定された数との第１比率を計算するステップと、
（ｃ）前記ラベル付き点と同じラベルを有する前記モデル内の複数の点と（ｄ）前記設定された数との第２比率を計算するステップと、
前記ラベル付き点に対応するマシンシステム状態への各信号の寄与を、前記第１比率と前記第２比率との比に基づいて、割り当てて信号及び寄与の順に並べたリストを形成するステップと、
前記マシンシステムの動作を前記リストに基づいて適合させるステップと
を含む制御方法。
実施形態２
前記ラベル付き点に対応する前記マシンシステム状態への各信号の寄与を割り当てる前記ステップは、
前記第１比率が前記第２比率以下であれば、前記信号の寄与を（第１比率／第２比率）−１に設定し、
そうでなければ、前記信号の寄与を（第１比率−第２比率）／（１−第２比率）に設定することを含む、実施形態１記載の制御方法。
実施形態３
前記ラベル付き点の分析近傍を前記信号投影下位空間内の前記ラベル付き点に最も近い前記設定された数のモデル状態点に制限する前記ステップは、前記モデル状態点を前記ラベル付き点からの距離により並べ、前記分析近傍を最も近い距離を持つ複数のモデル状態点に限定することを含む、実施形態１記載の制御方法。
実施形態４
前記距離は、前記ラベル付き点の投影と前記信号投影下位空間内の信号特徴軸上の前記状態点の投影との距離から成る、実施形態３記載の制御方法。
実施形態５
前記マシンシステムの動作を適合させる前記ステップは、故障している部品を修理することを含む、実施形態１記載の制御方法。
実施形態６
前記モデル状態点の前記設定された数はモデル状態点の総数の平方根から成る、実施形態１記載の制御方法。
実施形態７
マシンシステム監視及び警報装置であって、
複数のセンサーから時系列信号を受信する複数の入力を備えたコンピュータシステムを備え、前記コンピュータシステムはプロセッサと命令群を有して適合されたメモリとを備え、前記命令群は
ラベル付き点と前記ラベル付き点がそれから得られた一組の信号とを受信する論理であって、前記各信号は対応する信号投影下位空間を有する、論理と、
前記マシンシステムのモデルを前記一組の信号の各信号投影下位空間内に投影する論理であって、前記モデルは複数のモデル状態点を含む、論理と、
前記ラベル付き点を各信号投影下位空間内に投影する論理と、
前記ラベル付き点の分析近傍を前記信号投影下位空間内の前記ラベル付き点に最も近い設定された数のモデル状態点に制限する論理と、
前記ラベル付き点と同じラベルを有する前記分析近傍内の複数の隣接点の第１割合を計算する論理と、
前記ラベル付き点と同じラベルを有する前記モデル内の複数の点の第２割合を計算する論理と、
前記ラベル付き点に対応するマシンシステム状態への各信号の寄与を前記第１割合及び前記第２割合から計算して信号及び寄与の順に並べたリストを形成する論理と、
信号の前記順に並べたリスト内のより高い信号を、前記ラベル付き点に対応する前記マシンシステム状態への最も可能性の高い寄与信号として表示する論理と
を形成する、マシンシステム監視及び警報装置。
実施形態８
前記ラベル付き点に対応する前記マシンシステム状態への各信号の寄与を計算することは、
前記第１割合が前記第２割合以下であれば、前記信号の寄与を（第１割合／第２割合）−１に設定し、
そうでなければ、前記信号の寄与を（第１割合−第２割合）／（１−第２割合）に設定することを含む、実施形態７記載の装置。
実施形態９
前記ラベル付き点の分析近傍を前記信号投影下位空間内の前記ラベル付き点に最も近い前記設定された数のモデル状態点に制限することは、前記モデル状態点を前記ラベル付き点からの距離により並べ、前記分析近傍を最も近い距離を持つ複数のモデル状態点に限定することを含む、実施形態７記載の装置。
実施形態１０
前記距離は、前記ラベル付き点の投影と前記信号投影下位空間内の信号特徴軸上の前記状態点の投影との距離から成る、実施形態９記載の装置。
実施形態１１
前記マシンシステム状態は故障している部品を含む、実施形態７記載の装置。
実施形態１２
前記モデル状態点の前記設定された数はモデル状態点の総数の平方根から成る、実施形態７記載の装置。
実施形態１３
複雑な物理的システムの動作の原因を監視し特定するための持続性マシン読取可能記憶媒体であって、該マシン読取可能記憶媒体は命令群を含み、前記命令群はプロセッサにより実行される時、前記プロセッサを含むマシンに、
ラベル付き点と前記ラベル付き点がそれから得られた一組の信号とを受信するステップと、
前記一組の信号の各信号について信号投影下位空間を生成するステップと、
前記物理的システムのモデルの状態点を前記一組の信号の各信号投影下位空間内に投影するステップと、
前記ラベル付き点を各信号投影下位空間内に投影するステップと、
前記ラベル付き点の分析近傍を前記信号投影下位空間内の前記ラベル付き点に最も近い設定された数のモデル状態点に制限するステップと、
（ａ）前記ラベル付き点と同じラベルを有する前記分析近傍内の複数の隣接点と（ｂ）前記設定された数との第１比率を計算するステップと、
（ｃ）前記ラベル付き点と同じラベルを有する前記モデル内の複数の点と（ｄ）前記設定された数との第２比率を計算するステップと、
前記ラベル付き点に対応するマシンシステム状態への各信号の寄与を、前記第１比率と前記第２比率との比に基づいて、割り当てて信号及び寄与の順に並べたリストを形成するステップと、
前記物理的システムの動作を前記リストに基づいて適合させるステップと
を実行させる、マシン読取可能記憶媒体。
実施形態１４
前記ラベル付き点に対応する前記マシンシステム状態への各信号の寄与を割り当てる前記ステップは、
前記第１比率が前記第２比率以下であれば、前記信号の寄与を（第１比率／第２比率）−１に設定し、
そうでなければ、前記信号の寄与を（第１比率−第２比率）／（１−第２比率）に設定することを含む、実施形態１３記載のマシン読取可能記憶媒体。
実施形態１５
前記ラベル付き点の分析近傍を前記信号投影下位空間内の前記ラベル付き点に最も近い前記設定された数のモデル状態点に制限する前記ステップは、前記モデル状態点を前記ラベル付き点からの距離により並べ、前記分析近傍を最も近い距離を持つ複数の状態点に限定することを含む、実施形態１３記載のマシン読取可能記憶媒体。
実施形態１６
前記距離は、前記ラベル付き点の投影と前記信号投影下位空間内の信号特徴軸上の前記状態点の投影との距離から成る、実施形態１５記載のマシン読取可能記憶媒体。
実施形態１７
前記物理的システムの動作を適合させる前記ステップは、故障している部品を修理することを含む、実施形態１３記載のマシン読取可能記憶媒体。
実施形態１８
前記モデル状態点の前記設定された数はモデル状態点の総数の平方根から成る、実施形態１３記載のマシン読取可能記憶媒体。
【国際調査報告】
2021516808.tif 000012